【手続補正書】
【提出日】平成18年5月17日(2006.5.17)
【手続補正１】
【補正対象書類名】明細書
【補正対象項目名】特許請求の範囲
【補正方法】変更
【補正の内容】
【特許請求の範囲】
【請求項１】  ビデオ信号を受信及び／又は処理するための装置（２）とメモリカード（２４）とから成るアセンブリにおいて、
前記装置（２）は、前記メモリカード（２４）を受け入れることのできるメモリカードリーダ（２２）と、前記メモリカード（２４）と通信できるように前記カードリーダ（２２）に結合されたマイクロプロセッサ（１８）とを有しており、
前記メモリカードは前記装置の検査に関する情報を収録したセキュアメモリカード（２４）である、ことを特徴とするアセンブリ。
【請求項２】  前記装置はさらに前記マイクロプロセッサ（１８）に結合されたメモリ（３０）を有しており、該メモリ（３０）は前記装置のための少なくとも１つの検査プログラムを収録しており、
前記メモリカード（２４）は、前記検査プログラムの実行に関する少なくとも１つの情報アイテムを収録している、請求項１記載のアセンブリ。
【請求項３】  前記メモリカード（２４）は、前記検査プログラムの実行に必要な少なくとも１つのパラメータを収録している、請求項２記載のアセンブリ。
【請求項４】  前記メモリカード（２４）に格納されている情報のうちの少なくとも幾つかの読み取りは、前記メモリカード（２４）による所有者コードの受理により条件付けられている、請求項１から３のいずれか項記載のアセンブリ。
【請求項５】  ビデオ信号を受信及び／又は処理するための装置（２）のカードリーダ（２２）内に受け入れ可能なセキュアメモリカードにおいて、
前記装置はマイクロプロセッサ（１８）に結合されたメモリ（３０）を有しており、
前記カード（２４）は、検査プログラムの実行に関する少なくとも１つの情報アイテムを保持しており、
前記検査プログラムは前記装置のメモリ（３０）に格納されている、ことを特徴とするセキュアメモリカード。
【請求項６】  前記検査プログラムの実行に必要な少なくとも１つのパラメータを収録している、請求項５記載のカード。
【請求項７】  所有者コードの受理が前記情報のうちの幾つかの転送を条件付けている、請求項５又は６記載のカード。
【請求項８】  メモリカードリーダ（２２）と該カードリーダ（２２）に結合されたマイクロプロセッサ（１８）とを有するビデオ信号を受信及び／又は処理するための装置において、
前記装置はさらに前記マイクロプロセッサ（１８）に結合されたメモリ（３０）を有しており、該メモリ（３０）は前記装置のための検査プログラムを収録しており、
前記マイクロプロセッサは、前記メモリカード（２４）から前記検査プログラムの実行に関する少なくとも１つの情報アイテムを受け取ることができる、ことを特徴とするビデオ信号を受信及び／又は処理するための装置。
【請求項９】  さらに、前記カードリーダ（２２）に前記セキュアメモリカード（２４）用の所有者コードを送ることのできる入力手段（２８，２６，１８）を有する、請求項８記載の装置。
【請求項１０】  メモリカードリーダ（２２）を備えたビデオ信号を受信及び／又は処理するための装置（２）を、例えば該装置（２）の検査のために、制御する方法において、
前記カードリーダに挿入されたセキュアメモリカード（２４）から前記装置（２）に収録されている検査プログラムの実行に関連する少なくとも１つの情報アイテムを受け取るステップと、
前記情報アイテムが肯定的である場合に、検査プログラムを実行するステップとを有する、ことを特徴とするビデオ信号を受信及び／又は処理するための装置（２）を制御する方法。
【請求項１１】  さらに、前記装置の入力手段（２８，２６，１８）から発されたコードを受け取るステップと、
前記コードをセキュアメモリカード（２４）宛ての所有者コードとして前記メモリカードリーダ（２２）に送るステップとを有する、請求項１０記載の方法。
【手続補正２】
【補正対象書類名】明細書
【補正対象項目名】０００９
【補正方法】変更
【補正の内容】
【０００９】
【課題を解決するための手段】
上記課題は、ビデオ信号を受信及び／又は処理するための装置とメモリカードとから成るアセンブリにおいて、前記装置が、前記メモリカードを受け入れることのできるメモリカードリーダと、前記メモリカードと通信できるように前記カードリーダに結合されたマイクロプロセッサとを有しており、前記メモリカードが前記装置の検査に関する情報を収録したセキュアメモリカードであるように構成することにより解決される。
【手続補正３】
【補正対象書類名】明細書
【補正対象項目名】００１０
【補正方法】変更
【補正の内容】
【００１０】
【発明の実施の形態】
本発明は、ビデオ信号を受信及び／又は処理するための装置とメモリカードとから成るアセンブリを提案する。このアセンブリにおいて、前記装置は、メモリカードを受け入れることのできるメモリカードリーダと、メモリカードと通信できるようにカードリーに結合されたマイクロプロセッサとを有しており、メモリカードはセキュアメモリカードである。
【手続補正４】
【補正対象書類名】明細書
【補正対象項目名】００１１
【補正方法】変更
【補正の内容】
【００１１】
他の有利な特徴によれば、
メモリカードは前記装置の検査に関する情報を収録している；
前記装置はマイクロプロセッサに結合されたメモリを有しており、このメモリは前記装置のための少なくとも１つの検査プログラムを収録しており、メモリカードは検査プログラムの実行に関する少なくとも１つの情報アイテムを収録している；
メモリカードは検査プログラムの実行に必要な少なくとも１つのパラメータを収録している；
メモリカードに格納されている情報のうちの少なくとも幾つかの読み取りは、メモリカードによる所有者コードの受理により条件付けられている。
【手続補正５】
【補正対象書類名】明細書
【補正対象項目名】００１３
【補正方法】変更
【補正の内容】
【００１３】
本発明はまた、マイクロプロセッサに関連したメモリを備えたビデオ信号を受信及び／又は処理するための装置のカードリーダ内に受け入れ可能なセキュアメモリカードも提供する。このカードは、前記メモリ内に格納されている検査プログラムの実行に関する少なくとも１つの情報アイテムを保持している。
【手続補正６】
【補正対象書類名】明細書
【補正対象項目名】００１５
【補正方法】変更
【補正の内容】
【００１５】
本発明は、ビデオ信号を受信及び／又は処理するための装置のカードリーダ内に受け入れ可能なセキュアメモリカードを提供する。このカードは装置の検査に関する少なくとも１つの情報アイテムを保持している。
【手続補正７】
【補正対象書類名】明細書
【補正対象項目名】００１６
【補正方法】変更
【補正の内容】
【００１６】
したがって、本発明は、メモリカードリーダと、セキュアメモリカードと通信するための手段を備えたカードリーダに結合されたマイクロプロセッサとを有する、ビデオ信号を受信及び／又は処理するための装置を提供する。
【手続補正８】
【補正対象書類名】明細書
【補正対象項目名】００１７
【補正方法】変更
【補正の内容】
【００１７】
有利な特徴によれば、
入力手段がセキュアメモリカード宛ての所有者コードをカードリーダに送ることができる；
マイクロプロセッサに結合されたメモリが検査プログラムを収録しており、マイクロプロセッサはセキュアメモリカードからプログラムの実行に関する少なくとも１つの情報アイテムを受け取ることができる。
【手続補正９】
【補正対象書類名】明細書
【補正対象項目名】００４０
【補正方法】変更
【補正の内容】
【００４０】
ＴＥＳＴＳバイトの各ビットは、以下のように検査プログラム（ディジタルデコーダのメモリ３０に格納されている）に対応している：
ビットＢ０（ＲＡＭ＿ＴＥＳＴ）：メモリの検査；
ビットＢ１（ＶＩＤＥＯ＿ＲＡＭ＿ＴＥＳＴ）：オーディオ／ビデオデコーダに結合されたビデオメモリ（図示せず）の検査；
ビットＢ２（ＫＤＢ）：コントロールパネル（図示せず）の検査；
ビットＢ３（ＯＳＤ）：ビデオインレー（ＯＳＤジェネレータ２０）の検査；
ビットＢ４（ＦＲＯＮＴ  ＥＮＤ）：フロントエンド６の検査；
ビットＢ５（ＭＯＤＥＭ＿ＩＤ）： モデム（図示せず）の識別の検査
ビットＢ６（ＭＯＤＥＭ＿ＣＯＮ）：モデムからリモートサーバへの接続の検査；
ビットＢ７（ＭＯＤＥＭ＿ＴＲＡＮＳ）：モデムとリモートサーバとの間のデータ交換の検査。